(57)【要約】【課題】操作端末による遊技媒体貸出装置の操作内容や内部処理などの各種操作履歴を管理することが可能な遊技媒体貸出装置及び遊技媒体貸出システムを実現する。【解決手段】操作端末からの各種コマンド信号に基づいて種々の内部処理を実行する遊技媒体貸出装置において、操作端末からの各種コマンド信号を記録するコマンド信号記録部６２には、各種コマンド信号に基づく各種操作履歴を記録する操作履歴記録回路６６が設けられており、操作履歴記録回路６６の記録内容に基づいて、遊技媒体貸出装置にアクセスした操作端末による少なくとも操作内容や内部処理を含む各種操作履歴を管理することができる。【選択図】    図３
2005087364.tif 000002
【特許請求の範囲】
【請求項１】
遊技機で使用する遊技媒体の貸出処理を行うと共に、操作端末からの各種コマンド信号に基づいて種々の内部処理を実行する遊技媒体貸出装置であって、
前記遊技媒体貸出装置は、少なくとも、
前記操作端末との間で各種コマンド信号を通信するための装置側送受信手段と、
前記装置側送受信手段で受信した前記各種コマンド信号を記録するためのコマンド信号記録手段とを備えており、
前記コマンド信号記録手段には、前記各種コマンド信号に基づく各種操作履歴を記録する操作履歴記録回路が設けられ、
前記操作履歴記録回路の記録内容に基づいて、前記遊技媒体貸出装置にアクセスした前記操作端末による少なくとも操作内容や内部処理を含む各種操作履歴を管理することが可能な遊技媒体貸出装置。
【請求項２】
前記遊技媒体貸出装置には、
前記コマンド信号記録手段に記録された各種コマンド信号を管理するためのコマンド信号管理手段と、
前記コマンド信号管理手段で管理した管理データを出力する管理データ出力手段と、
前記管理データ出力手段からの管理データを所定の中央処理装置との間で送受信するための管理データ送受信手段とが設けられており、
前記コマンド信号管理手段が前記操作履歴記録回路に記録された前記各種操作履歴を管理すると共に、前記管理データ出力手段が前記コマンド信号管理手段で管理した前記各種操作履歴を出力し、その際に、前記管理データ送受信手段が前記管理データ出力手段からの前記各種操作履歴を所定の中央処理装置に送信することにより、前記遊技媒体貸出装置にアクセスした前記操作端末による少なくとも操作内容や内部処理を含む各種操作履歴を一元管理することが可能な請求項１に記載の遊技媒体貸出装置。
【請求項３】
遊技機で使用する遊技媒体の貸出処理を行うための遊技媒体貸出装置と、
前記遊技媒体貸出装置に種々の内部処理を実行させる各種コマンド信号を送信する操作端末と、を備えて構築された遊技媒体貸出システムであって、
前記操作端末は、少なくとも、
前記遊技媒体貸出装置に種々の内部処理を実行させる各種コマンド信号を予め登録するためのコマンド信号登録手段と、
前記コマンド信号登録手段に登録された各種コマンド信号の中から、前記遊技媒体貸出装置に所定の内部処理を実行させるコマンド信号を選択することが可能なコマンド信号選択手段と、
前記コマンド信号選択手段で選択したコマンド信号を前記遊技媒体貸出装置との間で通信するための端末側送受信手段とを備えていると共に、
前記遊技媒体貸出装置は、少なくとも、
前記操作端末の前記端末側送受信手段との間で各種コマンド信号を通信するための装置側送受信手段と、
前記装置側送受信手段で受信した前記各種コマンド信号を記録するためのコマンド信号記録手段とを備えており、
前記コマンド信号記録手段には、前記各種コマンド信号に基づく各種操作履歴を記録する操作履歴記録回路が設けられ、
前記操作履歴記録回路の記録内容に基づいて、前記遊技媒体貸出装置にアクセスした前記操作端末による少なくとも操作内容や内部処理を含む各種操作履歴を管理することを特徴とする遊技媒体貸出システム。
【請求項４】
前記遊技媒体貸出装置には、
前記コマンド信号記録手段に記録された各種コマンド信号を管理するためのコマンド信号管理手段と、
前記コマンド信号管理手段で管理した管理データを出力する管理データ出力手段と、
前記管理データ出力手段からの管理データを所定の中央処理装置との間で送受信するための管理データ送受信手段とが設けられており、
前記コマンド信号管理手段が前記操作履歴記録回路に記録された前記各種操作履歴を管理すると共に、前記管理データ出力手段が前記コマンド信号管理手段で管理した前記各種操作履歴を出力し、その際に、前記管理データ送受信手段が前記管理データ出力手段からの前記各種操作履歴を所定の中央処理装置に送信することにより、前記遊技媒体貸出装置にアクセスした前記操作端末による少なくとも操作内容や内部処理を含む各種操作履歴を一元管理することが可能な請求項３に記載の遊技媒体貸出システム。
【請求項５】
前記操作端末のコマンド信号登録手段には、前記操作端末を識別するための識別標識を予め登録するための識別標識登録回路が設けられており、
前記端末側送受信手段を通して前記遊技媒体貸出装置に通信される前記コマンド信号には、前記識別標識登録回路に登録された識別標識が含まれることを特徴とする請求項３に記載の遊技媒体貸出システム。
【請求項６】
前記遊技媒体貸出装置のコマンド信号記録手段には、前記操作端末から送信されたコマンド信号の中から前記操作端末を識別するための識別標識を記録する識別標識記録回路が設けられており、
前記識別標識記録回路に記録した識別標識に基づいて、前記遊技媒体貸出装置にアクセスした前記操作端末の少なくとも種類やアクセス日時を管理することが可能な請求項３に記載の遊技媒体貸出システム。
【発明の詳細な説明】
【技術分野】
【０００１】
本発明は、操作端末からの各種コマンド信号に基づいて種々の内部処理(遊技機で使用する遊技媒体の貸出処理を含む)を実行する遊技媒体貸出装置及び遊技媒体貸出システムに関し、特に、操作端末から遊技媒体貸出装置へのアクセス時に、操作端末による例えば操作内容や内部処理などの各種操作履歴を管理することが可能な技術に関する。
【背景技術】
【０００２】
現在、パチンコホールやパチスロホールなどの遊技施設において、パチンコ台やスロットマシン等の遊技機は、複数台の遊技機を並設して成る遊技機島を構成するように設置される。そして、遊技機島には、隣り合う遊技機間にそれぞれ台間サンドと称する遊技媒体貸出装置（例えば、特許文献１参照）が介在され、かかる遊技媒体貸出装置に所定額の貨幣(硬貨や紙幣)や、同等の貨幣価値を有する遊技カードを投入することにより、所定数の遊技媒体(遊技玉や遊技コイン)の貸し出しを受けることができるようになっている。
【０００３】
また、このような遊技媒体貸出装置は、操作端末(例えば、無線端末)からの命令(コマンド信号)に基づいて、遊技媒体貸出装置の鍵のロック(施錠)やリリース(開錠)、遊技媒体貸出装置の各種作動状態(例えば、遊技媒体貸出装置を制御するための制御プログラムや、制御プログラム実行中に各種制御データを一時的に記憶するバッファ等)を初期状態に戻すリセット、或いは、遊技媒体貸出装置に蓄積された使用済み遊技カードのカード排出などの内部処理を実行するようになっている。
【０００４】
ところで、遊技媒体貸出装置と操作端末(無線端末)との間の通信には、所定周波数(波長)帯域内の無線信号(例えば、赤外線など)が用いられており、かかる周波数(波長)帯域内の無線信号を読取可能な装置(例えば、市販の各種受信機)を使うことで、通信内容(例えば、操作端末からのコマンド信号)を不正にコピーすることができる。そして、不正にコピーした通信内容に一致した擬似的な操作端末(無線端末)を用いれば、その擬似的な操作端末からの不正な命令(不正なコマンド信号)に基づいて、遊技媒体貸出装置に上述したような内部処理を実行させることができる。
【０００５】
この場合、遊技媒体貸出装置で実行された種々の内部処理や、かかる内部処理を実行させるために操作端末から遊技媒体貸出装置に送信されたコマンド信号に基づく種々の操作内容などの各種操作履歴を記録しておけば、どのような不正な内部処理が何時の段階で行われたか、或いは、どのような不正操作が何時の段階で行われたかを把握することが可能となり、その後の不正防止の対策に役に立つ。
しかし、従来の遊技施設には、遊技媒体貸出装置で実行される種々の内部処理や、操作端末からのコマンド信号に基づく種々の操作内容を把握するための対策が施されていないため、どのような不正な内部処理が何時の段階で行われたか、或いは、どのような不正操作が何時の段階で行われたかを把握することができなかった。このため、不正防止対策を講ずることもできなかった
【特許文献１】特開２００２−１４３５３９号公報
【発明の開示】
【発明が解決しようとする課題】
【０００６】
本発明は、このような問題を解決するためになされており、その目的は、操作端末による遊技媒体貸出装置の操作内容や内部処理などの各種操作履歴を管理することが可能な遊技媒体貸出装置及び遊技媒体貸出システムを提供することにある。
【課題を解決するための手段】
【０００７】
このような目的を達成するために、本発明は、遊技機で使用する遊技媒体の貸出処理を行うと共に、操作端末からの各種コマンド信号に基づいて種々の内部処理を実行する遊技媒体貸出装置であって、遊技媒体貸出装置は、少なくとも、操作端末との間で各種コマンド信号を通信するための装置側送受信手段(データ送受信部３６)と、装置側送受信手段で受信した各種コマンド信号を記録するためのコマンド信号記録手段(コマンド信号記録部６２)とを備えている。また、コマンド信号記録手段には、各種コマンド信号に基づく各種操作履歴を記録する操作履歴記録回路６６が設けられ、操作履歴記録回路の記録内容に基づいて、遊技媒体貸出装置にアクセスした操作端末による少なくとも操作内容や内部処理を含む各種操作履歴を管理することができる。
また、本発明は、遊技機で使用する遊技媒体の貸出処理を行うための遊技媒体貸出装置と、遊技媒体貸出装置に種々の内部処理を実行させる各種コマンド信号を送信する操作端末と、を備えて構築された遊技媒体貸出システムである。
この遊技媒体貸出システムにおいて、操作端末は、少なくとも、遊技媒体貸出装置に種々の内部処理を実行させる各種コマンド信号を予め登録するためのコマンド信号登録手段(コマンド信号登録部４６)と、コマンド信号登録手段に登録された各種コマンド信号の中から、遊技媒体貸出装置に所定の内部処理を実行させるコマンド信号を選択することが可能なコマンド信号選択手段(操作部４８)と、コマンド信号選択手段で選択したコマンド信号を前記遊技媒体貸出装置との間で通信するための端末側送受信手段(データ送受信部３８)とを備えている。一方、遊技媒体貸出装置は、少なくとも、操作端末の端末側送受信手段との間で各種コマンド信号を通信するための装置側送受信手段と、装置側送受信手段で受信した各種コマンド信号を記録するためのコマンド信号記録手段とを備えており、コマンド信号記録手段には、各種コマンド信号に基づく各種操作履歴を記録する操作履歴記録回路が設けられている。
これにより、操作履歴記録回路の記録内容に基づいて、遊技媒体貸出装置にアクセスした操作端末による少なくとも操作内容や内部処理を含む各種操作履歴を管理することができる。
上述の発明において、遊技媒体貸出装置には、コマンド信号記録手段に記録された各種コマンド信号を管理するためのコマンド信号管理手段(コマンド信号管理部６８)と、コマンド信号管理手段で管理した管理データを出力する管理データ出力手段(識別標識／操作履歴出力部７０)と、管理データ出力手段からの管理データを所定の中央処理装置との間で送受信するための管理データ送受信手段(ホールＰＣ用データ送受信部７２)とが設けられている。そして、コマンド信号管理手段が操作履歴記録回路に記録された各種操作履歴を管理すると共に、管理データ出力手段がコマンド信号管理手段で管理した各種操作履歴を出力し、その際に、管理データ送受信手段が管理データ出力手段からの各種操作履歴を所定の中央処理装置に送信することにより、遊技媒体貸出装置にアクセスした操作端末による少なくとも操作内容や内部処理を含む各種操作履歴を一元管理することができる。
また、上述の発明において、操作端末のコマンド信号登録手段には、操作端末を識別するための識別標識を予め登録するための識別標識登録回路６０が設けられており、端末側送受信手段を通して遊技媒体貸出装置に通信されるコマンド信号には、識別標識登録回路に登録された識別標識が含まれる。そして、かかる識別標識が遊技媒体貸出装置の識別標識記録回路６４に記録されることで操作端末が特定され、その特定した操作端末により、どのような操作や内部処理が行われたのかを把握することができる。
【発明の効果】
【０００８】
本発明によれば、操作端末による遊技媒体貸出装置の操作内容や内部処理などの各種操作履歴を管理することが可能な遊技媒体貸出装置及び遊技媒体貸出システムを実現することができる。
【発明を実施するための最良の形態】
【０００９】
以下、本発明の一実施の形態に係る遊技媒体貸出装置及び操作端末、並びに、遊技媒体貸出装置及び操作端末を用いた遊技媒体貸出システムについて、添付図面を参照して説明する。
図１には、遊技媒体貸出装置６及び操作端末３０を用いた遊技媒体貸出システムが遊技施設に構築された状態が示されている。遊技施設としては、例えばパチンコ台やスロットマシン等の遊技機が設置されたパチンコホールやパチスロホール等を想定することができるが、ここでは、その一例として、パチンコホールを想定する。この場合、パチンコ台２は、複数台のパチンコ台２を併設して成る遊技機島４を構成するように設置され、かかる遊技機島４において、遊技媒体貸出装置６は、隣り合うパチンコ台２の間にそれぞれ介在されている。
【００１０】
図２(ａ)に示すように、遊技媒体貸出装置６には、硬貨投入口８、紙幣投入口１０、遊技カード投入口１２が設けられており、所定額の貨幣(硬貨や紙幣)や、同等の貨幣価値を有する遊技カード(いずれも図示しない)を投入することにより、有価価値に対応した数の遊技媒体(パチンコ球：図示しない)の貸し出しを受けることができる。
【００１１】
図２(ａ)及び図３を参照して具体的に説明すると、硬貨投入口８や紙幣投入口１０から所定額の貨幣(硬貨や紙幣)が投入された際に、貨幣投入検知センサ１４からの検知信号に基づいて、紙幣識別部１６により貨幣(硬貨や紙幣)の真贋が識別される。また、遊技カード投入口１２から所定額の貨幣価値を有する遊技カードが投入された際に、カード投入検知センサ１８からの検知信号に基づいて、カードリードライタ２０により遊技カードの貨幣価値(貨幣価値情報)が読み取られる。
そして、貨幣(硬貨や紙幣)が真正なものと認定された場合、又は、カードリードライタ２０により遊技カードの貨幣価値情報が正しく読み取られた場合、制御部(ＣＰＵ)２２により貨幣(硬貨や紙幣)や遊技カードの有価価値が特定され、その特定した有価価値に対応する数の遊技媒体(パチンコ球)の貸し出しを命令する命令コマンドがパチンコ台２に送信される。このときの命令コマンドに基づいて、パチンコ台２からは、特定した有価価値に対応する数の遊技媒体(パチンコ球)が貸し出される。
【００１２】
なお、貨幣(硬貨や紙幣)が贋物と認定された場合、制御部(ＣＰＵ)２２により、その硬貨は硬貨返却口２４から返却され、また、その紙幣は紙幣投入口１０から返却される。
また、遊技媒体(パチンコ球)の貸し出しにより所定額の貨幣価値が無くなった使用済み遊技カードは、遊技カード投入口１２から返却されること無く、そのまま遊技媒体貸出装置６内に蓄積される。これに対して、遊技媒体の貸し出しによる残額があるときは、その残額に対応した貨幣価値情報がカードリードライタ２０により遊技カードに記録され、その遊技カードは、遊技カード投入口１２から返却される。この場合、遊技(パチンコゲーム)により獲得した遊技媒体(パチンコ球)の球数に応じた貨幣価値情報を遊技カードに記録するようにしても良い。
更に、制御部(ＣＰＵ)２２は、遊技媒体(パチンコ球)の貸し出し時において、例えば不正行為を報知するために警告ランプ２６を起動制御したり、例えば操作エラーを表示するエラー表示ランプ２８を起動制御したりする。
【００１３】
また、上述したような遊技媒体貸出装置６は、操作端末(例えば、無線端末)３０からの命令(各種コマンド信号)に基づいて、制御部(ＣＰＵ)２２に構成された内部処理実行部３２が所定の内部処理を実行するようになっている。
この場合、各種コマンド信号は、遊技媒体貸出装置６の通信表示窓３４を通して、遊技媒体貸出装置６のデータ送受信部(送受信手段)３６と操作端末３０のデータ送受信部(送受信手段)３８との間で無線通信される。また、遊技媒体貸出装置６と操作端末３０との間の通信には、電波法等で認められた所定周波数(波長)帯域内の無線信号(例えば、赤外線など)を用いれば良い。
【００１４】
内部処理実行部３２による内部処理としては、上述したような遊技媒体(パチンコ球)の貸し出し処理のほかに、例えば、遊技媒体貸出装置６の鍵４０のロック(施錠)やリリース(開錠)、遊技媒体貸出装置６の各種作動状態(例えば、遊技媒体貸出装置を制御するための制御プログラムや、制御プログラム実行中に各種制御データを一時的に記憶するバッファ等)を初期状態に戻すリセット、或いは、遊技媒体貸出装置６に蓄積された使用済み遊技カードのカード排出などが想定される。
なお、遊技媒体貸出装置６の鍵４０のロック(施錠)やリリース(開錠)は、内部処理実行部３２からの指令に基づいて、施錠部４２が鍵４０の施錠又は開錠を行う。また、内部処理実行部３２による内部処理中に異常(例えば、処理エラーや誤動作など)が生じた場合には、内部処理実行部３２からの指令に基づいて、スピーカ４４から警告音が発せられる。また、内部処理実行部３２による内部処理の状況は、遊技媒体貸出装置６の通信表示窓３４を通して表示される。
【００１５】
上述したような内部処理を実行させるために、操作端末３０は、遊技媒体貸出装置６に種々の内部処理を実行させる各種コマンド信号(後述する操作命令：図４参照)を予め登録するためのコマンド信号登録手段(コマンド信号登録部)４６と、コマンド信号登録部４６に登録された各種コマンド信号(操作命令)の中から、遊技媒体貸出装置６に所定の内部処理を実行させるコマンド信号(操作命令)を選択することが可能なコマンド信号選択手段(操作部)４８とを備えており、操作部４８で選択したコマンド信号(操作命令)は、データ送受信部３８から遊技媒体貸出装置６のデータ送受信部３６に無線通信される。
この場合、コマンド信号登録部４６には、操作端末３０を識別するための識別標識を予め登録するための識別標識登録回路６０が設けられており、遊技媒体貸出装置６に通信されるコマンド信号には、識別標識登録回路６０に登録された識別標識が含まれるようになっている。
【００１６】
コマンド信号登録部４６には、上述したような内部処理と各種コマンド信号(操作命令)とが対応付けて登録される。例えば、コマンド信号(操作命令)Ａは、遊技媒体貸出装置６の鍵４０のリリース(開錠)を実行させる命令、コマンド信号(操作命令)Ｂは、遊技媒体貸出装置６の鍵４０のロック(施錠)を実行させる命令、コマンド信号(操作命令)Ｃは、遊技媒体貸出装置６に蓄積された使用済み遊技カードのカード排出を実行させる命令、などのように対応付けて登録される。
【００１７】
操作部４８は、例えば図２(ｂ)に示すようなタッチパネル式の操作端末３０や、例えば図２(ｃ)に示すようなダイヤル式の操作端末３０において、コマンド信号登録部４６に登録された各種コマンド信号(操作命令)を選択することができるようになっている。
タッチパネル式の操作端末３０(図２(ｂ))では、まず、パネル５０に表示された複数の符号(例えば、1-9,A-F)の中から特定の符号(例えば、符号Ａ)に触れると、コマンド信号登録部４６の各種コマンド信号(操作命令)の中からコマンド信号(操作命令)Ａが選択される。続いて、送信開始ボタン５２を押すことにより、選択したコマンド信号(操作命令)Ａが、操作端末３０のデータ送受信部３８から遊技媒体貸出装置６の通信表示窓３４を通して遊技媒体貸出装置６のデータ送受信部３６に無線通信される。
同様に、ダイヤル式の操作端末(図２(ｃ))では、まず、ダイヤル５４を回転させることにより、このダイヤル５４に表示された複数の符号(例えば、1-9,A-F)の中から特定の符号(例えば、符号Ａ)を選択枠５６内に位置付けると、コマンド信号登録部４６の各種コマンド信号(操作命令)の中からコマンド信号(操作命令)Ａが選択される。続いて、送信開始ボタン５８を押すことにより、選択したコマンド信号(操作命令)Ａが、操作端末３０のデータ送受信部３８から遊技媒体貸出装置６の通信表示窓３４を通して遊技媒体貸出装置６のデータ送受信部３６に無線通信される。
【００１８】
本実施の形態では、操作端末３０のデータ送受信部３８から遊技媒体貸出装置６のデータ送受信部３６に通信される各種コマンド信号には、識別標識登録回路６０に登録された識別標識が含まれるようになっており、遊技媒体貸出装置６には、データ送受信部３６で受信した各種コマンド信号(識別標識を含む)を記録するためのコマンド信号記録手段(コマンド信号記録部)６２が設けられている。
コマンド信号記録部６２には、操作端末３０から送信された各種コマンド信号の中から操作端末３０を識別するための識別標識を記録する識別標識記録回路６４と、各種コマンド信号に基づく各種操作履歴を記録する操作履歴記録手段としての操作履歴記録回路６６とが設けられている。
【００１９】
識別標識登録回路６０は、この識別標識登録回路６０が設けられている操作端末３０固有の識別標識を登録できるようになっているが、識別標識の登録後に不正に改竄されるのを防止するため、消去や書込みができないＲＯＭ(Read Only Memory)形式の不揮発性記憶デバイスで識別標識登録回路６０を構成することが好ましい。なお、識別標識としては、例えば識別符号(例えば、T1,T2…)や識別番号(例えば、001,002…)など、使用目的や使用環境に応じて任意の形式を適用することができる。
【００２０】
遊技媒体貸出装置６の制御部(ＣＰＵ)２２には、コマンド信号管理部６８が設けられており、このコマンド信号管理部６８は、操作端末３０から送信された各種コマンド信号の中から操作端末３０を識別するための識別標識を抽出できるようになっている。そして、コマンド信号管理部６８により抽出された識別標識が、コマンド信号記録部６２の識別標識記録回路６４に記録される。この場合、識別標識記録回路６４には、識別標識と共に、この識別標識の操作端末３０が遊技媒体貸出装置６にアクセス(各種コマンド信号を通信)した日時も記録される。この結果、識別標識記録回路６４の記録内容に基づいて、遊技媒体貸出装置６にアクセスした操作端末３０の例えば種類やアクセス日時などを管理(各遊技媒体貸出装置６毎に個別管理)することができる。
【００２１】
更に、制御部(ＣＰＵ)２２のコマンド信号管理部６８は、操作端末３０から送信された各種コマンド信号に基づく各種操作履歴(例えば、一連の操作の流れ、コマンド信号に応じた内部処理など)を、コマンド信号記録部６２の操作履歴記録回路６６に記録することができるようになっている。この結果、操作履歴記録回路６６の記録内容に基づいて、遊技媒体貸出装置６にアクセスした操作端末３０による例えば操作内容や内部処理などの各種操作履歴を管理(各遊技媒体貸出装置６毎に個別管理)することができる。
【００２２】
このように識別標識記録回路６４及び操作履歴記録回路６６の記録内容によれば、各遊技媒体貸出装置６毎に、アクセスした操作端末３０の固有の識別標識及び各種操作履歴を管理することができる。この場合、パチンコホールには、複数台のパチンコ台２間に複数の遊技媒体貸出装置６が介在されているため、これら複数台の遊技媒体貸出装置６を一元管理できれば、ホール運営上及び管理上便利である。
そこで、本実施の形態において、遊技媒体貸出装置には、コマンド信号管理部６８で管理した管理データ(例えば、識別標識記録回路６４及び操作履歴記録回路６６の記録内容)を出力する管理データ出力手段(識別標識／操作履歴出力部)７０と、識別標識／操作履歴出力部７０からの管理データを所定の中央処理装置(ホールＰＣ：図示しない)との間で送受信するための管理データ送受信手段(ホールＰＣ用データ送受信部)７２とが設けられている。
【００２３】
この場合、コマンド信号管理部６８が、コマンド信号記録部６２の識別標識記録回路６４に記録された識別標識や、操作履歴記録回路６６に記録された各種操作履歴を管理すると共に、識別標識／操作履歴出力部７０がコマンド信号管理部６８で管理した識別標識や各種操作履歴を出力し、その際、ホールＰＣ用データ送受信部７２が識別標識／操作履歴出力部７０からの識別標識や各種操作履歴を所定の中央処理装置(ホールＰＣ)に送信することにより、遊技媒体貸出装置６にアクセスした操作端末３０の例えば種類やアクセス日時や、遊技媒体貸出装置６にアクセスした操作端末３０による例えば操作内容や内部処理などの各種操作履歴を一元管理することができる。
なお、ホールＰＣ用データ送受信部７２と所定の中央処理装置(ホールＰＣ)との間の通信方法は、有線又は無線のいずれの方法でも良い。
【００２４】
以下、本実施の形態の動作について、図３及び図４を参照して説明する。なお、この動作説明では、操作端末３０として図２(ｂ)のタッチパネル式の操作端末３０を用いる。
ここでは、例えば、ある遊技媒体貸出装置６の鍵４０をリリース(開錠)しようとする場合を想定する。
まず、ホール担当者がタッチパネル式の操作端末３０の操作部４８を操作すると、制御部(ＣＰＵ)７４によりコマンド信号登録部４６からコマンド信号(即ち、操作命令)Ａが選択され、その操作命令Ａを含んだ最初のコマンド信号Ｓ１は、操作端末３０のデータ送受信部３８から遊技媒体貸出装置６の通信表示窓３４を通して遊技媒体貸出装置６のデータ送受信部３６に無線通信される。
【００２５】
このときのコマンド信号Ｓ１は、例えば図４(ｂ)に示すように、送信情報「00」が付加された送信データから成り、送信データには、鍵４０のリリース(開錠)を内部処理させる操作命令Ａに加えて、操作端末３０固有の識別標識Ｔ１が含まれる。
この場合、識別標識Ｔ１は、コマンド信号管理部６８により、コマンド信号記録部６２の識別標識記録回路６４に記録される。そして、識別標識記録回路６４には、識別標識Ｔ１と共に、この識別標識Ｔ１の操作端末３０が遊技媒体貸出装置６にアクセス(各種コマンド信号を通信)した日時も記録される。
【００２６】
なお、送信情報「00」は、送信データの送信順序を二進数で示したフラグである。ここでは、操作端末３０から最初に送信するコマンド信号Ｓ１を示す送信情報として「00」が付加される。また、操作端末３０から最初にコマンド信号(操作命令Ａ)Ｓ１を送信する際には、後述するような遊技媒体貸出装置６からのコマンド信号Ｓ２が操作端末３０で受信されていないため、操作端末側の「遊技媒体貸出装置情報」の該当欄には、未受信マーク“−”が付されている。
【００２７】
このようなコマンド信号Ｓ１を受信した際、遊技媒体貸出装置６は、コマンド信号Ｓ２をデータ送受信部３６から通信表示窓３４を通して操作端末３０のデータ送受信部３８に無線通信する。
このときのコマンド信号Ｓ２は、送信信号「01」が付加された送信データＢから成り、送信データＢは、操作端末３０から受信したコマンド信号Ｓ１の操作命令Ａを第一変換情報αで変換処理した結果である。かかる変換処理は、制御部(ＣＰＵ)２２の第一変換処理部７６で行われ、この第一変換処理部７６は、第一変換情報テーブル記憶部７８に予め記憶された第一変換情報αに基づいて、操作端末３０から受信した送信データ(即ち、操作命令Ａ)とは異なる送信データＢを算出する。
なお、変換処理方法としては、例えば、足し算(加)、引き算(減)、掛け算(乗)、割り算(除)の４つの算法(四則演算(加減乗除))を適宜選択或いは組み合わせた変換処理を適用すれば良い。
【００２８】
このようなコマンド信号Ｓ２を受信した際、操作端末３０は、２回目のコマンド信号Ｓ３をデータ送受信部３８から通信表示窓３４を通して遊技媒体貸出装置６のデータ送受信部３６に無線通信する。
このときのコマンド信号Ｓ３は、例えば図４(ｃ)に示すように、送信信号「10」が付加された送信データから成り、送信データは、変換データＣに加えて、操作端末３０固有の識別標識Ｔ１が含まれる。なお、この識別標識Ｔ１は、必ずしも必要では無く、最初のコマンド信号Ｓ１(図４(ｂ))に含まれていれば、再度送信する必要は無いが、最初のコマンド信号Ｓ１と２回目のコマンド信号Ｓ３の双方に含めても良い。
【００２９】
変換データ(送信データ)Ｃは、遊技媒体貸出装置６から受信したコマンド信号Ｓ２の送信データＢを第二変換情報βで変換処理した結果である。かかる変換処理は、制御部(ＣＰＵ)７４の第二変換処理部８０で行われ、この第二変換処理部８０は、第二変換情報テーブル記憶部８２に予め記憶された第二変換情報βに基づいて、遊技媒体貸出装置６から受信したコマンド信号Ｓ２の送信データＢとは異なる送信データ(変換データ)Ｃを算出する。
なお、変換処理方法としては、例えば、足し算(加)、引き算(減)、掛け算(乗)、割り算(除)の４つの算法(四則演算(加減乗除))を適宜選択或いは組み合わせた変換処理を適用すれば良い。
【００３０】
このようなコマンド信号Ｓ３を受信した遊技媒体貸出装置６において、制御部(ＣＰＵ)２２の逆変換処理部８４は、コマンド信号Ｓ３に送信信号「10」が付加されているか否かを確認すると共に、第一変換処理部７６でコマンド信号Ｓ２に送信信号「01」が付加されたか否かも確認する。
このとき、送信信号「01」及び「10」がコマンド信号Ｓ２及びコマンド信号Ｓ３に付加されていない場合、逆変換処理部８４は、第一変換処理部７６及び第二変換処理部８０で変換処理が行われていないと判断し、以降の内部処理を終了する。
【００３１】
これに対して、送信信号「01」及び「10」がコマンド信号Ｓ２及びコマンド信号Ｓ３に付加されている場合、逆変換処理部８４は、第一変換処理部７６及び第二変換処理部８０で変換処理が行われたものと判断する。
この場合、逆変換処理部８４は、コマンド信号Ｓ３の送信データ(変換データ)Ｃをコマンド信号Ｓ２の送信データＢに戻すと共に(最初の逆変換処理)、最初の逆変換処理で得られたコマンド信号Ｓ２の送信データＢをコマンド信号Ｓ１の送信データ(操作指令)Ａに戻す(２回目の逆変換処理)。
【００３２】
最初の逆変換処理では、操作端末３０の第二変換情報テーブル記憶部８２に記憶されていた第二変換情報βを用いた処理が行われる。この場合、最初の逆変換処理に用いる逆変換情報として第二変換情報βを、予め逆変換情報テーブル記憶部８６に記憶しておけば良い。
２回目の逆変換処理では、遊技媒体貸出装置６の第一変換情報テーブル記憶部７８に記憶されていた第一変換情報αを用いた処理が行われる。この場合、２回目の逆変換処理に用いる逆変換情報として第一変換情報αを、予め逆変換情報テーブル記憶部８６に記憶しておけば良い。
なお、これらの逆変換処理方法としては、最初の逆変換処理及び２回目の逆変換処理を行うことができれば、例えば、足し算(加)、引き算(減)、掛け算(乗)、割り算(除)の４つの算法(四則演算(加減乗除))を適宜選択或いは組み合わせた逆変換処理を適用することができる。
【００３３】
このような逆変換処理が終了したとき、遊技媒体貸出装置６において、制御部(ＣＰＵ)２２の適正データ判断部８８は、変換データ(送信データ)Ｃが適正なものか否かを判断する。例えば、上記の最初の逆変換処理及び２回目の逆変換処理で戻されたコマンド信号Ｓ１の送信データ(操作指令)Ａが、予め登録された基準判断情報(例えば、操作指令Ａ)と一致していない場合、適正データ判断部８８は、変換データ(送信データ)Ｃが適正なものでは無いと判断し、内部処理を終了させる。
【００３４】
これに対して、送信データ(操作指令)Ａが、予めＲＯＭ９０に登録された基準判断情報(例えば、操作指令Ａ)と一致している場合、適正データ判断部８８は、変換データ(送信データ)Ｃが適正なものであると判断し、その操作指令Ａを内部処理実行部３２に出力する。これにより、内部処理実行部３２は、操作指令Ａに応じた内部処理(即ち、該当する遊技媒体貸出装置６の鍵４０のリリース(開錠))を実行する。
【００３５】
また、上述した全ての動作プロセスは操作履歴として、コマンド信号管理部６８によりコマンド信号記録部６２の操作履歴記録回路６６に記録される。これにより、操作端末３０によるアクセス開始時から内部処理終了時までの操作履歴を把握することができるため、その間に行われた不正行為や種々の操作上の問題(例えば、操作エラー、誤作動など)を管理することが可能となる。
【００３６】
以上、本実施の形態によれば、遊技媒体貸出装置６へのアクセス時に、その操作端末３０からの各種コマンド信号に基づく各種操作履歴(例えば、遊技媒体貸出装置６に対する操作端末３０による操作内容や、その操作内容に応じた遊技媒体貸出装置６の種々の内部処理など)を管理することができる。その結果、例えばどのような不正な内部処理が何時の段階で行われたか、或いは、例えばどのような不正操作が何時の段階で行われたかを把握することができ、その後の不正防止の対策に役に立つ。
この場合、操作端末３０に割り振られた識別標識と、その操作端末３０からの各種コマンド信号に基づく各種操作履歴とを対応付けて管理すれば、操作端末３０の使い勝手を変更すること無く、どの操作端末３０がどの遊技媒体貸出装置６に何時アクセスしたのかを把握できると共に、その特定した操作端末３０により、どのような操作(コマンド信号による操作)や内部処理が行われたのかも把握することができる。その結果、遊技施設内で使用する遊技媒体貸出装置６及び操作端末３０の管理がし易くなり、更に高いセキュリティを確保することが可能となる。
【００３７】
また、本実施の形態によれば、実際の内部処理を実行する前に、コマンド信号Ｓ１からコマンド信号Ｓ３までのプロセスを経ることにより、高いセキュリティを確保することが可能となり、その結果、不正アクセス者により内部処理が実行されるのを防止することができる。
【００３８】
なお、上述した実施の形態では、操作端末３０として、例えば図２(ｂ),(ｃ)に示すような専用端末を例示したが、これ以外に、例えば携帯電話やＰＨＳ或いはＰＤＡ等の市販されている携帯端末を利用しても良い。
また、上述した実施の形態において、コマンド信号Ｓ１からコマンド信号Ｓ３までのプロセスを一定時間内に制限しても良い。例えば、コマンド信号Ｓ２が遊技媒体貸出装置６から操作端末３０に送信された後、一定時間内にコマンド信号Ｓ３が操作端末３０から遊技媒体貸出装置６に送信されないとき、その間に不正行為があったものとみなして、内部処理を終了させてしまう。こうすることにより、セキュリティを更に向上させることが可能となる。
更に、上述した実施の形態では、コマンド信号Ｓ１に操作命令(内部処理を実行させる信号)を乗せているが、例えば、コマンド信号Ｓ３に操作命令を乗せても良い。
【産業上の利用可能性】
【００３９】
本発明は、各種遊技に使用する遊技媒体を貸し出す遊技媒体貸出装置だけで無く、操作端末により管理すべき各種装置が構築された各種システムにおいて広く利用することが可能である。
【図面の簡単な説明】
【００４０】
【図１】本発明の一実施の形態に係る遊技媒体貸出装置及び操作端末を用いた遊技媒体貸出システムの構成例を示す斜視図。
【図２】（ａ）は、遊技媒体貸出装置の斜視図、（ｂ）は、操作端末の平面図、（ｃ）は、他の操作端末の平面図。
【図３】遊技媒体貸出装置及び操作端末を用いた遊技媒体貸出システムの内部構成を示すブロック図。
【図４】（ａ）は、操作端末と遊技媒体貸出装置との間のコマンド信号の通信状態を説明するための図、（ｂ）は、操作端末から遊技媒体貸出装置に最初に送信されたコマンド信号一例を示す図、（ｃ）は、操作端末から遊技媒体貸出装置に２回目に送信されたコマンド信号一例を示す図。
【符号の説明】
【００４１】
６  遊技媒体貸出装置
３０  操作端末
３６  データ送受信部
３８  データ送受信部
４６  コマンド信号登録部
４８  操作部
６０  識別標識登録回路
６２  コマンド信号記録部
６４  識別標識記録回路
６６  操作履歴記録回路
６８  コマンド信号管理部
７０  識別標識／操作履歴出力部
７２  ホールＰＣ用データ送受信部
【図１】
2005087364.tif 000003
【図２】
2005087364.tif 000004
【図３】
2005087364.tif 000005
【図４】
2005087364.tif 000006